(57)【特許請求の範囲】
【請求項１】
分散型電源が電力系統から切り離されて単独運転しているか否かを電力系統に注入した電力変動に基づいて検出する方法において、
電力系統に電力変動を注入する第１ステップと、
電力系統の２つの電力状態の検出をする第２ステップと、
前記検出した電力状態の偏差をそれぞれ演算し、その偏差に基づいて電力変動に変換するための予め決められた関数に従いそれぞれ演算出力し、その演算出力を比較し小さい方を選択する第３ステップと、
前記選択した演算出力により、電力系統に注入する電力変動を決定する第４ステップと、を備え、
前記関数は電力変動のレベルを一定の上限以下に抑制する
ことを特徴とする単独運転検出方法。
【請求項２】
分散型電源が電力系統から切り離されて単独運転しているか否かを検出する単独運転検出装置に対してその検出動作を制御する制御装置において、
電力系統に電力変動を注入する第１手段と、
電力系統の２つの電力状態の検出をする第２手段と、
前記検出した電力状態の偏差をそれぞれ演算し、その偏差に基づいて電力変動に変換するための予め決められた関数に従いそれぞれ演算出力し、その演算出力を比較し小さい方を選択する第３手段と、
前記選択した演算出力により、電力系統に注入する電力変動を決定する第４手段と、を具備し、
前記関数は電力変動のレベルを一定の上限以下に抑制する
ことを特徴とする制御装置。
【請求項３】
前記電力変動は、無効電力変動または有効電力変動であることを特徴とする請求項１に記載の単独運転検出方法。
【請求項４】
前記電力変動は、無効電力変動または有効電力変動であることを特徴とする請求項２に記載の制御装置。
【請求項５】
前記電力状態は、周波数、電圧、電流、またはこれらを用いて得られる周波数偏差、電圧偏差、電流偏差のいずれかであることを特徴とする請求項１または３に記載の単独運転検出方法。
【請求項６】
前記電力状態は、周波数、電圧、電流、またはこれらを用いて得られる周波数偏差、電圧偏差、電流偏差のいずれかであることを特徴とする請求項２または４に記載の制御装置。
【請求項７】
分散型電源が電力系統から切り離されて単独運転しているか否かを検出する単独運転検出装置に対してその検出動作を制御する制御装置において、当該制御装置は、マイクロコンピュータを内蔵しており、請求項１，３，５のいずれか１項に記載の方法を実行するソフトウエアプログラムを備えたマイクロコンピュータにより構成されている、
ことを特徴とする制御装置。
【請求項８】
分散型電源が電力系統から切り離されて単独運転しているか否かを検出する単独運転検出装置において、請求項２，４，６，７のいずれか１項に記載の制御装置を備える、
ことを特徴とする単独運転検出装置。
【請求項９】
電力系統から切り離されて単独運転しているか否かを検出する単独運転検出装置を内蔵する分散型電源において、この単独運転検出装置が請求項２，４，６，７のいずれか１項に記載の制御装置を備える、
ことを特徴とする分散型電源。
【発明の詳細な説明】
【技術分野】
【０００１】
本発明は、分散型電源が電力系統から切り離され単独運転しているか否かを電力系統に注入した無効電力等の各種の電力変動に基づいて検出する単独運転検出方法、分散型電源の単独運転検出用制御装置、単独運転検出装置および分散型電源に関する。
【背景技術】
【０００２】
単独運転は、電力系統に事故等が発生して停止したとき、局所的な系統負荷に分散型電源が電力を供給している状態である。分散型電源の単独運転が継続すると、人身や設備の安全に多大な影響がある。
【０００３】
分散型電源とは、需要地あるいはその近辺に電源を設置して発電するものである。このような分散型電源は、現在、ガスタービン、ガスエンジン、太陽光、等を用いたコージェネレーションシステムが主流となっている。今後は、それらシステムに加えて、風力、小規模水力、バイオマス、等の再生可能なエネルギあるいは廃棄物等を利用した発電システムや技術的に開発途上にあるマイクロガスタービンや燃料電池の普及が期待されている。それらの中で、燃料電池は分散型電源の主流と期待も高いものであり、工場等の大規模施設だけでなく、一般住宅等の小規模施設への導入も進められるものと考えられる。
【０００４】
代表的な小型の分散型電源としてはガスエンジン、ガスタービン、マイクロガスタービン、太陽光、燃料電池等を例示することができる。これまで電力会社は需要地から離れた場所に膨大な設備投資を行って発電所を建設し、需要地まで送電してきたために、送電損失等があり、発電効率は３０％前後にとどまっている。
【０００５】
以上説明した分散型電源に対してその単独運転を検出する単独運転検出装置においてその単独運転の検出方式としては、詳しい説明は略するが、電力変動の注入方式により、無効電力変動方式、有効電力変動方式、高調波注入方式、等の各種方式（電力変動方式）が既に提案されている。
【０００６】
このような電力変動方式での単独運転検出において、多数台の単独運転検出装置が電力変動を不定期に電力系統に注入すると、電力系統内でそれら電力変動が相互に打ち消し合うことがあり、単独運転検出に影響が生じる。そのため、多数台の単独運転検出装置において、標準時刻電波信号等に同期させて一斉に電力変動を電力系統に注入した際には、それら電力変動が注入されている電力系統に接続されている負荷、例えば、蛍光灯のちらつき、マイクロコンピュータの誤動作、モータの回転制御不能を発生させる原因となるフリッカー（電圧の周期的変動）問題を発生するおそれがある。もちろん、単独運転検出装置が多数台ではなく、１台ないし数台でも、電力変動のレベルが過大であれば、多数台と同様なフリッカー問題が発生する。なお、単独運転に関する技術は多数有り、以下にその特許文献の代表を挙げる。
【特許文献１】特開平０８−９８４１１号公報
【特許文献２】特許３３９７９１２号公報
【特許文献３】特許３４２４４４３号公報
【発明の開示】
【発明が解決しようとする課題】
【０００７】
したがって、本発明により解決すべき課題は、フリッカー問題を発生させる程度に電力変動が過大とならないよう電力変動のレベルを制御してフリッカーを無くすか小さく抑制処理することである。
【課題を解決するための手段】
【０００８】
（１）本発明による単独運転検出方法は、分散型電源が電力系統から切り離されて単独運転しているか否かを電力系統に注入した電力変動に基づいて検出する方法において、電力系統に電力変動を注入する第１ステップと、電力系統の２つの電力状態の検出をする第２ステップと、前記検出した電力状態の偏差をそれぞれ演算し、その偏差に基づいて電力変動に変換するための予め決められた関数に従いそれぞれ演算出力し、その演算出力を比較し小さい方を選択する第３ステップと、前記選択した演算出力により、電力系統に注入する電力変動を決定する第４ステップと、を備え、前記関数は電力変動のレベルを一定の上限以下に抑制することを特徴とするものである。
【０００９】
上記において第１ステップの電力変動の注入は周期的に限定されるものではなく不定期等の任意でもよい。
【００１０】
電力状態とは、系統周波数、系統電圧、系統電流、その他であり、これらを用いて得られる周波数偏差、電圧偏差、電流偏差等も含むものであり、特に限定されない。
【００１１】
電力変動は、無効電力変動、有効電力変動、高調波電力変動、等であり、特に限定されない。
【００１２】
電力変動のレベルは例えば、電流値等であるが、特に限定されない。
【００１３】
一定の上限以下とは、フリッカー抑制に必要な上限以下のことであり、適宜、実験等により定まるものであり、特に限定されない。
【００１４】
本発明によると、第１ステップで電力変動を電力系統に注入し、第２ステップで電力系統の電力状態を検出し、第３ステップで上記検出に従い電力変動のレベルを一定の上限以下に抑制するから、例えば、多数台の単独運転検出装置が例えば標準時刻電波信号等に同期させて一斉に電力変動を電力系統に注入したとしても、その電力変動はフリッカーが問題とならない一定の上限以下に抑制される結果、上記したフリッカー問題を発生するおそれがなくなる。
【００１５】
本発明の好適な一態様は、第２ステップでは、その検出に用いる電力状態が、周期的な間隔における系統周波数の偏差（周波数偏差）であり、第３ステップでは、周波数偏差が一定値を超えるまでは電力変動を一定の上限に抑制し周波数偏差が一定値を超えた後は周波数偏差の増減に対して電力変動のレベルをヒステリシスを持つサイクル制御をすることである。
【００１６】
この態様では、電力状態の検出に周波数偏差を用いるので、電力ラインのインピーダンスが大きいときに電力系統の電圧と分散型電源の電圧に周期的もしくは不定期な位相差が生じたことを検出するという好ましく、また、電力変動を一定の上限以下でヒステリシス制御を持って制御するので、安定な出力を継続するという点で好ましい。
【００１７】
本発明の好適な一態様は、第２ステップの検出に用いる電力状態が、周期的な間隔における系統電圧の偏差（電圧偏差）であり、第３ステップでは、電圧偏差が一定値を超えるまでは電力変動を一定の上限に抑制し電圧偏差が一定値を超えた後は電圧偏差の増減に対して電力変動のレベルをヒステリシス制御することである。
【００１８】
この態様では、電力状態の検出に電圧偏差を用いるので、フリッカー問題となる電圧変化を直接検出するという点で好ましい。
【００１９】
本発明の好適な一態様は、第１ステップが、電波時計等の標準時刻に同期して電力系統に電力変動を注入することである。
【００２０】
なお、第３ステップでは、上記ヒステリシス制御に限定されず、例えば、周波数偏差または電圧偏差が一定値となるように、周波数偏差または電圧偏差の増減に対して電力変動のレベルを高次の関数で決定してもよく、あるいはＰＩＤ制御等のフィードバック制御で制御してもよい。
【００２１】
（２）本発明による制御装置は、分散型電源が電力系統から切り離されて単独運転しているか否かを検出する単独運転検出装置に対してその検出動作を制御する制御装置において、電力系統に電力変動を注入する第１手段と、電力系統の２つの電力状態の検出をする第２手段と、前記検出した電力状態の偏差をそれぞれ演算し、その偏差に基づいて電力変動に変換するための予め決められた関数に従いそれぞれ演算出力し、その演算出力を比較し小さい方を選択する第３手段と、前記選択した演算出力により、電力系統に注入する電力変動を決定する第４手段と、を具備し、前記関数は電力変動のレベルを一定の上限以下に抑制することを特徴とするものである。
【００２２】
本発明の制御装置によれば、上記（１）と同様のステップを実行する手段を備えるのでフリッカー防止に有効な制御装置を提供することができる。
【００２３】
（３）本発明による制御装置は、分散型電源が電力系統から切り離されて単独運転しているか否かを検出する単独運転検出装置に対してその検出動作を制御する制御装置において、当該制御装置は、マイクロコンピュータを内蔵しており、上記（１）に記載の方法を実行するソフトウエアプログラムを備えたマイクロコンピュータにより構成されていることを特徴とするものである。
【００２４】
本発明の制御装置によれば、（１）に記載の方法を実行するものであるから、フリッカー防止に有効な制御装置を提供することができる。
【００２５】
（４）本発明による単独運転検出装置は、分散型電源が電力系統から切り離されて単独運転しているか否かを検出する単独運転検出装置において、上記制御装置を備えることを特徴とするものである。
【００２６】
（５）本発明による分散型電源は、電力系統から切り離されて単独運転しているか否かを検出する単独運転検出装置を内蔵する分散型電源において、この単独運転検出装置が上記制御装置を備えることを特徴とするものである。
【発明の効果】
【００２７】
本発明によれば、フリッカーを検出して処理することができる。
【発明を実施するための最良の形態】
【００２８】
以下、添付した図面を参照して、本発明の実施の形態に係る単独運転検出方法、その制御装置、単独運転検出装置および分散型電源を説明する。
【００２９】
図１は分散型電源と単独運転検出装置とを備えた電力制御システムの構成を示す。図１を参照して、１０は太陽光、風力、マイクロガスタービン、燃料電池等の分散型電源、２０は単独運転検出装置、３０は電力系統である。これらは概略で示したものであり、分散型電源１０は内部に電源電力を交流に変換するインバータやこのインバータを制御するインバータ制御部等を備える。電力系統３０の詳細は本実施の形態では特に説明を要しないので略する。また、負荷の図示等は略している。単独運転検出装置２０は、連系リレー２１,２５と、制御装置２２と、インバータ制御部２３と、インバータ２４と、電流検出器２６とを備える。
【００３０】
制御装置２２は、マイクロコンピュータを内蔵しそのマイクロコンピュータのソフトウエアプログラムにより制御動作を実行することができるようになっている。この場合、制御装置２２をマイクロコンピュータ以外のハードウエアで構成することもできる。
【００３１】
図２に制御装置２２の実施の形態に関わる主要な機能をブロック構成で示す。図２において、２９は標準時刻電波信号で作動する電波時計、３１は電波時計２９に同期して定期的に電力系統３０の電力を微小に変動（電力変動）制御するための電力変動制御信号Ｓ３´を出力する定期変動部、３２は電力系統３０における電力変動のフリッカーを検出処理するフリッカー検出処理部、３３は定期変動部３１からの電力変動制御信号Ｓ３´とフリッカー検出処理部３２からのフリッカー検出信号を乗算係数Ｓ３´´として乗算しその乗算結果を電力変動制御信号Ｓ３（無効電流そのものではなくインバータ制御部への制御信号として）としてインバータ制御部２３に出力する乗算器、３４は電力ライン２７の電力変動を信号Ｓ５に基づいて監視する電力変動監視部、３５は電力変動監視部３４からの監視信号に基づいて分散型電源１０が電力系統３０から切り離されて単独運転しているか否かを判定し、その判定に対応して制御信号Ｓ１，Ｓ２，Ｓ６を連系リレー２１,２５とインバータ制御部２３に出力する単独運転判定部である。
【００３２】
電波時計２９と定期変動部３１は、乗算器３３に電力変動制御信号Ｓ３´を出力し、乗算器３３から電力変動制御信号Ｓ３を出力させ、この電力変動制御信号Ｓ３に応答して、インバータ制御部２３およびインバータ２４を通じて、電力系統３０に電力変動を注入する第１ステップを実行する手段を構成することができる。
【００３３】
フリッカー検出処理部３２において、３２ａは系統からの信号Ｓ５により系統周波数の変動を検出する周波数変動検出部、３２ｂは系統からの信号Ｓ５により系統電圧の変動を検出する電圧変動検出部、３２ｃは周波数変動検出部３２ａの検出出力から後述する周波数偏差Δｆａｖｅを演算しかつ内部に持つ関数に従い第１演算出力を出力する第１演算部、３２ｄは電圧変動検出部３２ｂの検出出力から後述する電圧偏差Δｖａｖｅを演算しかつ内部に持つ関数に従い第２演算出力を出力する第２演算部、３２ｅは第１演算部３２ｃと第２演算部３２ｄそれぞれからの両第１、第２演算出力を比較し小さい方の演算出力を出力する比較部、３２ｆは比較部３２ｅから出力される一方の演算出力に低域フィルタ通過処理しその処理した演算出力を上記乗算係数Ｓ３´´として乗算器３３に出力するローパスフィルタである。
【００３４】
以上の構成において、定期変動部３１からは電波時計２９に同期したタイミングで電力変動制御信号Ｓ３´が出力される。定期変動部３１からの電力変動制御信号Ｓ３´の出力タイミングを電波時計２９に同期させるのは、電力変動制御信号Ｓ３´が他の単独運転検出装置が出力する電力変動制御信号Ｓ３´と非同期に出力された場合、これら電力変動制御信号Ｓ３´に基づいて電力系統３０に注入された電力変動同士が相互に打ち消し合い、相互が単独運転検出に悪影響することを避けるためである。しかしながら、電力変動制御信号Ｓ３´により多数の単独運転検出装置から同期したタイミングで電力変動が一斉に電力系統に注入された場合、電力変動が過大となってフリッカ−の問題が発生するおそれがある。フリッカーは周知されるごとく、負荷である照明灯のちらつき、その他の不具合を発生させてしまう要因となる。
【００３５】
フリッカー検出処理部３２は、そのフリッカーを検出して処理するものである。
【００３６】
フリッカー検出処理部３２は、電力系統の電力状態を検出する第２ステップを実行する手段として周波数変動検出部３２ａ、電圧変動検出部３２ｂを備え、また、上記検出に従い電力変動レベルを一定の上限以下に抑制する第３ステップとして第１、第２演算部３２ｃ，３２ｄ、比較部３２ｅ、ローパスフィルタ３２ｆを備える。
【００３７】
以下、図３を参照してフリッカー検出処理部３２によるフリッカー検出処理について説明する。図３（ａ）は横軸に周波数偏差Δｆａｖｅ（Ｈｚ）、縦軸に無効電流Ｗ（Ａ）をとり、図３（ｂ）は横軸に電圧偏差Δｖａｖｅ（Ｖ）、縦軸に無効電流Ｗ（Ａ）をとっている。この無効電流Ｗは電力変動に対応する。
【００３８】
周波数変動検出部３２ａにおいては、系統周波数の変動を０．５秒間隔で検出する。
【００３９】
第１演算部３２ｃにおいては周波数変動検出部３２ａが検出した系統周波数に対して０．５秒間の系統周波数の最大値と最小値との偏差Δｆ０を求め、その偏差のデータΔｆｉ（ｉ＝０〜９）を過去１０個分（５秒間のデータ）保持する。この過去１０個分のデータの中から最大と最小とを除いた８個分のデータの平均を図３（ａ）の横軸の周波数偏差Δｆａｖｅとして求める。そして、第１演算部３２ｃは、この周波数偏差Δｆａｖｅの変動に対して図３（ａ）の関数曲線に従い電力系統に注入すべき電力変動（図３（ａ）では無効電流で表現）を演算する。以下の説明では電力変動を無効電流Ｗ（Ａ）で説明する。
【００４０】
フリッカー検出処理部３２からは乗算器３３で定期変動部３１からの電力変動制御信号Ｓ３´´と乗算したときに電力系統に注入する無効電流Ｗが０．２Ａ以下となるように乗算係数Ｓ３´´を出力する。
【００４１】
図３（ａ）において一定鎖線で示すヒステリシス曲線Ｗ１では周波数偏差Δｆａｖｅが０〜０．１０Ｈｚの間で増減しても無効電流Ｗを０．２Ａの上限に維持し、周波数偏差Δｆａｖｅが０．１０〜０．２０Ｈｚの間で増減するときは無効電流Ｗを０．２〜０Ａの範囲で増減に変動することにより、現在の無効電流Ｗが、Ｗ１を上回るとＷ１にクリップさせる。そして、周波数偏差Δｆａｖｅが一旦０．２０Ｈｚになると、周波数偏差Δｆａｖｅが低下するときは、無効電流を０Ａに維持する。そして、周波数偏差Δｆａｖｅが０．１５Ｈｚになると、周波数偏差Δｆａｖｅが増減するときは無効電力を０〜０．２Ａで増減させる。すなわち、現在の無効電流Ｗが、点線で示すヒステリシス曲線Ｗ２を下回るとＷ２にクリップするというヒステリシス動作で制御する。
【００４２】
上記においては、第１演算部３２ｃではその演算出力が比較部３２ｅおよびローパスフィルタ３２ｆを経て乗算器３３に乗算係数Ｓ３´´として出力されるので、無効電流Ｗを図３（ａ）で示す関数に従って０．２Ａ以下に抑制することができるように、周波数偏差Δｆａｖｅに対して演算を行う。以上により、乗算器３３からインバータ制御部２３には電力変動を無効電流Ｗで０．２Ａ以下に抑制する電力変動制御信号Ｓ３がインバータ制御部２３に出力されるので、フリッカーが抑制される。
【００４３】
電圧変動検出部３２ｂおよび第２演算部３２ｄにおいても、周波数変動検出部３２ａおよび第１演算部３２ｃと同様である。
【００４４】
すなわち、電圧変動検出部３２ｂにおいては、系統電圧の変動を０．５秒間隔で検出する。第２演算部３２ｄにおいては電圧変動検出部３２ｂが検出した系統電圧に対して０．５秒間の系統電圧の最大値と最小値との偏差Δｖ０を求め、その偏差のデータΔｖｉ（ｉ＝０〜９）を過去１０個分（５秒間のデータ）保持する。この過去１０個分のデータの中から最大と最小とを除いた８個分のデータの平均を図３（ｂ）の横軸の電圧偏差Δｖａｖｅとして求める。そして、第２演算部３２ｄは、この電圧偏差Δｖａｖｅの変動に対して図３（ｂ）の関数曲線に従い電力系統に注入すべき電力変動（図３（ｂ）では無効電流で表現）に対応した乗算係数Ｓ３´´を演算する。
【００４５】
図３（ｂ）において一定鎖線で示すヒステリシス曲線Ｗ３では電圧偏差Δｖａｖｅが０〜０．３０Ｖの間で増減しても無効電流Ｗを０．２Ａの上限に維持し、電圧偏差Δｖａｖｅが０．３０〜０．４０Ｖの間で増減するときは無効電流Ｗを０．２〜０Ａの範囲で増減に変動することにより、現在の無効電流Ｗが、Ｗ３を上回るとＷ３にクリップさせる。そして、電圧偏差Δｖａｖｅが一旦０．４０Ｈｚになると、電圧偏差Δｖａｖｅが低下するときは、無効電流を０Ａに維持する。そして、電圧偏差Δｖａｖｅが０．３５Ｖになると、電圧偏差Δｖａｖｅが増減するときは無効電力を０〜０．２Ａで増減させる。すなわち、現在の無効電流Ｗが、点線で示すヒステリシス曲線Ｗ４を下回るとＷ４にクリップするというヒステリシス動作で制御する。
【００４６】
上記においては、第２演算部３２ｄではその演算出力が比較部３２ｅおよびローパスフィルタ３２ｆを経て乗算器３３に乗算係数Ｓ３´´として出力されるので、無効電流Ｗを図３（ｂ）で示す関数に従って０．２Ａ以下に抑制することができるように、電圧偏差Δｖａｖｅに対して演算を行う。以上により、乗算器３３からインバータ制御部２３には電力変動を無効電流Ｗで０．２Ａ以下に抑制する電力変動制御信号Ｓ３がインバータ制御部２３に出力されるので、フリッカーが抑制される。
【００４７】
比較部３２ｅでは第１演算部３２ｃと第２演算部３２ｄとの演算出力のうち、小さい方の演算出力を選択する。この選択した演算出力は８秒の時定数を持つローパスフィルタ３２ｆで処理されたうえで乗算係数Ｓ３´´として乗算器３３に与えられる。そして、乗算器３３では、定期変動部３１からの電力変動制御信号Ｓ３´とフリッカー検出処理部３２からの検出出力である乗算係数Ｓ３´´とが乗算されて、電力変動を０．２Ａ以下の無効電流Ｗに抑制するための電力変動制御信号Ｓ３がインバータ制御部２３に出力され、これによって、電力系統の電力変動は無効電流Ｗで０．２Ａ以下に抑制される。
【００４８】
以上により実施の形態の単独運転検出装置２０では、制御装置２２から電力系統に０．２Ａ以下の無効電流Ｗを持つ電力変動が注入される結果、多数台の単独運転検出装置が一斉に電力変動を電力系統に注入したとしても、その電力変動はフリッカーの問題を起こさない程度の一定の上限以下に抑制され、上記したフリッカー問題を発生するおそれがなくなる。
【００４９】
図１に戻って、分散型電源１０に外付けされている単独運転検出装置２０においては、制御装置２２からインバータ制御部２３に電力系統に周期的に電力変動を注入するための制御指令Ｓ３が入力される。これにより、インバータ制御部２３は制御信号Ｓ４をインバータ２４に出力してインバータ２４を駆動させて電力ライン２７に電力変動を注入する。なお、制御装置２２により連系リレー２１、２５は閉じている。また、分散型電源１０内部にも図示略のインバータが内蔵されており、単独運転検出装置２０のインバータ２４は電力変動注入専用である。
【００５０】
制御装置２２は、電力ライン２７からの電力変動を系統からの信号Ｓ５により電力変動監視部３４で監視している。電力変動監視部３４は電力変動の監視データを単独運転判定部３５に入力している。単独運転判定部３５においてはその監視データから単独運転であると判定すると、連系リレー２１,２５をオフ駆動する制御信号Ｓ１，Ｓ２とインバータ制御部２３にインバータ２４の動作を停止させる制御信号Ｓ６とを出力する。これにより単独運転が停止される。
【００５１】
一方、制御装置２２のフリッカー検出処理部３２では単独運転判定のための電力変動レベルが一定値以上にならないよう系統の電圧と周波数とを検出し、電力変動をレベル制御し、フリッカーの発生を抑制する。
【００５２】
図４は単独運転検出装置を内蔵した分散型電源を示す。この分散型電源は太陽電池や燃料電池等の電源本体５０と、単独運転検出装置６０とから構成されている。単独運転検出装置６０は、インバータ６１と、電流検出器６２と、連系リレー６３と、インバータ制御部６４と、実施の形態の制御装置６５とを備える。
【００５３】
以上の構成において、単独運転検出装置６０においては、制御装置６５からインバータ制御部６４に電力系統に周期的に電力変動を注入するための制御指令が入力される。これにより、インバータ制御部６４はインバータ６１を駆動して電力ライン６６に電力変動を注入する。なお、制御装置６５により連系リレー６３は閉じている。
【００５４】
制御装置６５は、電力ライン６６からの電力変動を電力変動監視部３４で監視している。電力変動監視部３４は電力変動の監視データを単独運転判定部３５に入力している。単独運転判定部３５においてはその監視データから単独運転であると判定すると、連系リレー６３をオフ駆動する制御信号とインバータ制御部６４にインバータ６４の動作を停止させる制御信号とを出力する。これにより単独運転が停止される。
【００５５】
一方、制御装置６５のフリッカー検出処理部３２では単独運転判定のための電力変動のレベルが一定値以上にならないよう系統の電圧と周波数とを検出し、電力変動のレベルを制御し、フリッカーの発生を抑制する。
【図面の簡単な説明】
【００５６】
【図１】図１は本発明の実施の形態に係る単独運転検出方法が適用される分散型電源と単独運転検出装置とからなる電力制御システムの構成を示す図である。
【図２】図２は図１の制御装置のブロック図である。
【図３】図３（ａ）は図１の制御装置の動作説明に供するもので周波数偏差Δｆａｖｅと無効電流との関係を示す図、図３（ｂ）は図１の制御装置の動作説明に供するもので電圧偏差Δｖａｖｅと無効電流との関係を示す図である。
【図４】図４は本発明の実施の形態に係る単独運転検出方法が適用される分散型電源と単独運転検出装置とからなる他の電力制御システムの構成を示す図である。
【符号の説明】
【００５７】
１０  分散型電源
２０  単独運転検出装置
３０  電力系統
【図１】
0004807085.tif 000002
【図２】
0004807085.tif 000003
【図３】
0004807085.tif 000004
【図４】
0004807085.tif 000005